(57)【要約】【課題】  固定式の天秤のようにトラブルが少なく、遠投性能に優れ、かつ、天秤棒遊動式の天秤よりも自在な遊動式を有し、竿先にアタリが出やすく、魚に違和感を与えない、糸絡みし難い釣り用天秤を提供する。【解決手段】  Ｌ型天秤本体の折り曲げ部にローリングサルカン８を通し、両端をビーズ６で留める等して自在に回動可能な状態で固定し、このローリングサルカン８に硬質のオモリ側天秤棒１０の端をつなぎ、もう一方の端に可動式の状態でオモリ１２を取り付ける。オモリ１２とＬ型天秤本体をつなぐオモリ天秤棒１０が、道糸１３や仕掛１４に絡まぬよう、Ｌ型天秤本体の道糸側天秤棒３と仕掛側天秤棒４の長さは、オモリ側天秤棒１０より、それぞれ長く設定する。これらの構成により、遠投性能に優れ、感度の良い自在な遊動式を有し、飛行時に天秤の幅が広がり糸絡みし難い釣り用天秤が提供できる。【選択図】図４
0003146682.tif 000002
【実用新案登録請求の範囲】
【請求項１】
釣り用の天秤本体の折り曲げ部に、自在に回動可能な状態で硬質の棒をつなぎ、棒のもう一方の端に可動式の状態でオモリを取り付けたことにより、オモリを中心に、釣り用天秤本体が自在に遊動することを特徴とする釣り用天秤。
【請求項２】
釣り用の天秤本体の、道糸側天秤棒と仕掛側天秤棒の長さが、釣り用の天秤本体とオモリを自在な遊動式の状態で連結している硬質の棒より、それぞれ長いことを特徴とする請求項１に記載の釣り用天秤。
【考案の詳細な説明】
【技術分野】
【０００１】  本考案は、道糸と仕掛の間に接続する釣り用天秤に関する。
【背景技術】
【０００２】  従来より、投げ釣りや船釣りにおいて海底の魚を釣る際、遠投や海中への投下で仕掛が絡まないように、釣り用天秤にオモリをつけて海底に仕掛を着底させ釣りを行っていた。【０００３】  このような釣り用天秤には、Ｌ字型、弓型、逆Ｖ型、ジェット型等の様々な形状のものが存在し、機能的には、天秤とオモリが固定され遠投性能に優れトラブルが少ないとされる固定式、魚のアタリが明確で食い込みが良い遊動式に大別される。遊動式には、天秤に道糸を通す糸遊動式、オモリに天秤棒を通した天秤棒遊動式等がある。
【考案の開示】
【考案が解決しようとする課題】
【０００４】  しかし、従来の天秤には次に挙げるような問題があった。【０００５】  固定式の天秤は、オモリを天秤棒に直接接続しているため、魚が仕掛の針に食いつき動こうとした際、天秤に加えオモリも一緒に引っ張らなければならず、竿先にアタリが出辛く、また魚に違和感を与え食い込みが悪いといった問題があった。【０００６】  天秤に道糸を通す糸遊動式の天秤は、道糸と天秤との摩擦による糸切れ、形状が複雑なゆえの糸絡み及び遠投性能低下、天秤棒のたわみに起因する遠投性能低下等の問題があった。【０００７】  オモリに天秤棒を通す天秤棒遊動式の天秤は、魚の引っ張る方向が道糸方向に対し一直線であることが望ましく、これがある程度ずれると遊動式の機能が落ち、結局は魚にオモリも一緒に引っ張らせることとなり、竿先にアタリが出辛く、また魚に違和感を与え食い込みが悪いといった問題があった。また、船釣り等、竿下直下でオモリを着底させ、天秤を立てた状態の釣りにおいては、横方向への魚の引きに遊動式が機能しないといった問題もあった。【０００８】  本考案はこれらの問題を解決し、遠投性能を落とすことなく、竿先にアタリが出やすく、魚に違和感を与えない自在な遊動式を有す、糸絡みし難い釣り用天秤を提供するものである。
【課題を解決するための手段】
【０００９】  本考案は、Ｌ型の天秤本体にオモリを直接接続するのではなく、Ｌ型天秤本体の折り曲げ部にローリングサルカン等を通し両端をビーズで留める等して自在に回動可能な状態で固定し、このローリングサルカンに直線状の天秤棒の端をつなぎ、もう一方の端にオモリを取り付けることにより問題を解決する。【００１０】  また、直線状のオモリ側天秤棒が道糸や仕掛に絡まないようにするため、Ｌ型天秤本体の道糸側天秤棒と仕掛側天秤棒の長さは、直線状のオモリ側天秤棒より、それぞれ長く設定する。【００１１】  また糸遊動式の天秤のように、道糸を天秤に通すのではなく、固定式天秤同様、道糸と仕掛は、それぞれＬ型天秤本体の両端に直接結ぶものとする。
【考案の効果】
【００１２】  前記した構成により、オモリを中心にＬ型天秤本体が、直線状のオモリ側天秤棒の長さの範囲で自在に遊動し、遠投性能を損なわない釣り用天秤が提供できる。また、飛行時には天秤の幅が広がり、道糸や仕掛が糸絡みし難いという特徴も備える。
【考案を実施するための最良の形態】
【００１３】  本考案の天秤は海水で使用するため、Ｌ型天秤本体については、錆びに強い硬質のステンレス製棒鋼が望ましい。【００１４】  オモリ側天秤棒には、柔軟な素材、例えばワイヤー等も検討したが、Ｌ型天秤本体への絡みが多く使用困難であり、硬質の金属製、例えばステンレス製棒鋼等が望ましい。【００１５】  オモリ側天秤棒とＬ型天秤本体の接続は、ローリングサルカン等を使用し、自在に回動可能な状態とするが、オモリ側天秤棒とオモリについても固定はせず、可動式の状態とする。【００１６】  オモリ側天秤棒が道糸や仕掛に絡まないようにするため、Ｌ型天秤本体の道糸側天秤棒と仕掛側天秤棒の長さは、オモリ側天秤棒より長く設定しなければならない。Ｌ型天秤本体に、オモリ側天秤棒が絡まないガードを設けることも検討したが、遊動幅が損なわれるばかりか、余計な凹凸による仕掛の絡み、構造が複雑化したことによる生産性低下等の問題があり困難であった。【００１７】  また、実際のキャストテストの結果から、Ｌ型天秤本体の折り曲げ部の挟角は１３０度前後が、最も糸絡みが少なく最適な角度と判断しこれを基準とする。
【実施例】
【００１８】  以下、添付図面に従って一実施例を説明する。【００１９】  図１は本考案釣り用天秤の正面図である。図１に示す通り、道糸接続部２を有す道糸側天秤棒３と、仕掛接続部５を有す仕掛側天秤棒４からなる金属製のＬ型天秤本体の折り曲げ部に、ローリングサルカン８を通し、両端をビーズ６で留める等して自在に回動可能な状態で固定し、このローリングサルカン８に金属製のオモリ側天秤棒１０の端を接続し、もう一方の端にオモリ１２を取り付けたものが、本考案釣り用天秤１である。また、オモリ側天秤棒１０のローリングサルカン接続部９と、オモリ接続部１１は、それぞれ可動式とする。【００２０】  また固定式天秤同様、道糸と仕掛は、それぞれ道糸接続部２と仕掛接続部５に直接結ぶため、糸遊動式の天秤のような、道糸と天秤との摩擦による糸切れや、遠投性能の低下等の問題は発生しない。【００２１】  図２は本考案釣り用天秤のオモリ側天秤棒１０が回動した状態を示す図である。図２に示す通り、Ｌ型天秤本体とオモリ側天秤棒１０をローリングサルカン８で接続することにより、オモリ側天秤棒１０の自在な回動を可能にし、魚のアタリを出やすくし、更にオモリ側天秤棒１０がＬ型天秤本体に絡みつくことも防止する。また、オモリ側天秤棒１０が道糸や仕掛に絡まないよう、Ｌ型天秤本体の道糸側天秤棒３と仕掛側天秤棒４の長さは、オモリ側天秤棒１０より長く設定する。【００２２】  図３は本考案釣り用天秤の飛行姿勢を示す図である。図３に示す通り、本考案釣り用天秤１の飛行姿勢は、オモリ側天秤棒１０に取り付けたオモリ１２に、Ｌ型天秤本体が引っ張られる形で飛行し、道糸接続部２に接続した道糸１３と、仕掛接続部５に接続した仕掛１４が平行となり、糸絡みすることなく飛行できる。本考案釣り用天秤１が飛行する際の、道糸１３と仕掛１４の間に生じる幅は、仕掛側天秤棒４の長さより大きな幅となり、更なる糸絡み防止効果が得られる。【００２３】  図４は本考案釣り用天秤に接続した仕掛１４の針に、魚１５が食いついた状態を示す図である。図４に示す通り、仕掛１４の針に魚１５が食いつくと、オモリ１２を中心に、それぞれの可動部、ローリングサルカン８、ローリングサルカン接続部９、オモリ接続部１１が可動し、オモリ側天秤棒１０の長さの範囲で自在に遊動し、魚１５にオモリ１２を引っ張らせることがないため、魚１５に違和感を与えず、かつ、竿先にアタリが出やすい構造となっている。【００２４】  本考案の釣り用天秤の一実施例は前述の如き構成からなるものであり、オモリ側天秤棒１０の長さの範囲で自在に遊動し、魚に違和感を与えず、竿先にアタリが出やすく、かつ、道糸や仕掛が絡まず、遠投性能を損なわない画期的な釣り用天秤である。
【図面の簡単な説明】
【００２５】
【図１】本考案釣り用天秤の正面図である。
【図２】本考案釣り用天秤のオモリ側天秤棒１０が回動した状態を示す図である。
【図３】本考案釣り用天秤の飛行姿勢を示す図である。
【図４】本考案釣り用天秤に接続した仕掛１４に、魚１５が食いついた状態を示す図である。
【符号の説明】
【００２６】      １  本考案釣り用天秤
２  道糸接続部
３  道糸側天秤棒
４  仕掛側天秤棒
５  仕掛接続部
６  ビーズ
７  固定スリーブ
８  ローリングサルカン
９  ローリングサルカン接続部
１０  オモリ側天秤棒
１１  オモリ接続部
１２  オモリ
１３  道糸
１４  仕掛
１５  魚
【図１】
0003146682.tif 000003
【図２】
0003146682.tif 000004
【図３】
0003146682.tif 000005
【図４】
0003146682.tif 000006